(57)【要約】      （修正有）【課題】直線部分での暗渠型コンクリート製品の接続のみならず、カーブ部での接続も簡単、迅速に、かつ確実に行える直線状、曲線状接続可能な暗渠型コンクリート製品兼用接続装置を提供する。【解決手段】直線状、曲線状接続可能な暗渠型コンクリート製品兼用接続装置であって、複数個の暗渠型コンクリート製品１と、金属パイプ製のアンカー部１９とアンカー部１９の先端に嵌り込みかつ合成樹脂製穴部２１とを備えた穴形成部材２２で形成された接続用穴と、折曲用縦型切り込み１０が設けられ一方側端部近傍位置には係止切り欠き溝１４が形成されかつ他方側端部近傍位置には無段階取り付け用係止穴１５と切り込み状の係止溝２４が設けられてなる接続板９と、雄ねじ部１８と雄ねじ部８の基端に設けられたボルト頭１６とを有する固定杆１１とを備える。【選択図】図１
2005226341.tif 000002
【特許請求の範囲】
【請求項１】
複数の暗渠型コンクリート製品を長手方向に向かって直線状にあるいは曲線状に接続可能な暗渠型コンクリート製品の兼用接続装置であって、
長手方向へ接続すべき複数個の暗渠型コンクリート製品と、
該暗渠型コンクリート製品の両端部両側壁面一定位位置に各々穿設された接続用穴と、  
前記接続用穴に亘って架設される接続板と、
前記接続板を接続すべき暗渠型コンクリート製品の隣り合う側壁間に架設固定する固定杆と、
を有し、
前記接続板は、平板長方形状に形成されて長手方向略中間部分に折曲用縦型切り込みが設けられてなると共に、一方側端部近傍位置には下辺に開口し、上方に向かって延出した係止切り欠き溝が形成され、かつ他方側端部近傍位置には長手方向に向かって延びる長穴状の無段階取り付け用係止穴と該無段階取り付け用係止穴の前記係止切り欠き溝側の端部から上方に延びる切り込み状の係止溝が設けられてなり、
前記固定杆は、雄ねじ部と該雄ねじ部の基端に設けられたボルト頭とを有し、前記雄ねじ部には先端部から略中間位置まで雄ねじが消失されて丸棒状の雄ねじ消失部が形成されてなり、
前記接続用穴は、内部に雌ねじ部が螺刻された金属パイプ製のアンカー部と、該アンカー部の先端に嵌り込み、前記雌ねじ部の内径と略同等の内径を有し、かつ先端開口側では穴中心に向かって張り出し突起が環状に形成された合成樹脂製穴部とを備えた穴形成部材で形成された、
ことを特徴とする直線状、曲線状接続可能な暗渠型コンクリート製品兼用接続装置。
【発明の詳細な説明】
【技術分野】
【０００１】
本発明は例えばコンクリート製排水溝等暗渠型コンクリート製品を直線状にあるいは曲線状に接続可能な暗渠型コンクリート製品の兼用接続装置に関するものである。
【背景技術】
【０００２】
従来において、コンクリート製品長手方向の両端部位置に連結穴を形成したコンクリート製品が一般的に知られている。
【０００３】
また、近年のコンクリート製品は施工現場の労働力節減のため、Ｕ字溝のようなＵ型側溝の上に蓋を乗せる製品から、コンクリート製品本体と蓋が合体した製品が数々開発されている。
【０００４】
そして、開発された製品本体と蓋が合体したコンクリート製品は暗渠製品とも呼ばれ、施工現場では蓋敷設手間が省けるが、施工現場で製品と製品を何本も繋ぎ合わせる際、従来のようにセメントモルタルを製品間につけて繋ぎ合わせる作業（目地作業）ができずその対策に苦慮していた。
【０００５】
なぜなら、暗渠型コンクリート製品は施工現場において、Ｕ字溝のように例えば上面に開口部がないため、製品内側から作業者の手が入らず、セメントモルタルでの目地作業などができないのである。
【０００６】
そして、このような課題に対応するため、暗渠型コンクリート製品を施工する際にモルタル目地作業の代替で用意されたものは、暗渠型コンクリート製品長手方向両端面に止水性機能を持つウレタン製等のゴムパッキンを貼り付け、接続すべき隣り合う二つの暗渠型コンクリート製品を繋ぎ合わせるものというものであった。
【０００７】
これは、暗渠型コンクリート製品長手方向両端面においてゴムパッキンを圧縮して接続するため、施工済みの暗渠型コンクリート製品と繋ぎ合わせる方法としては、接続すべき暗渠型コンクリート製品を重機の動力で、またはチェーンロープを前記製品に巻いて吊り上げ、所定の敷設位置まで運搬すると共に、締め付け工具で人力によって徐々に引き寄せ作業を行ない、所定位置まで引き寄せた後、あらかじめ埋設された金属プレートとボルトで螺合させるなどかなり作業の手間を要する。
【０００８】
すなわち、該工法において前記のゴムパッキンを圧縮して接続作業を行うことはきわめて困難なことであり、ほとんどが接続すべき製品を既設製品端部である接続面に取り付けられたゴムパッキンに接したところで引き寄せ作業を終了してしまい、製品連結後のゴム反発作用を利用して止水防止するとの目的が達成出来ないおそれがあった。
【０００９】
ところで、近年のコンクリート製品には連結穴の他に、吊上げ穴を設けた製品もあり、この吊上げ穴機能で施工現場は飛躍的に作業時間は短縮化でき、安全性においてもきわめて優れている製品を提供することが出来たことは言うまでもない。
【００１０】
がしかし、近年では暗渠型製品にゴムパッキンが貼り付けてあることで、接続作業における該ゴムパッキン圧着作業で時間を費やしてしまい、折角前記の工法で短縮された作業時間さえも無駄となり、それどころか作業時間の延長すら成りかねない状態となっていた。
【００１１】
ここで、近年、前記製品の接続につき、斬新な技術である引き寄せ構造によるコンクリート製品の接続構造（一般に業界ではいわゆるパーフェクトジョイント工法・ＰＪ工法と称呼されている）が発明されたが、当該接続構造あるいはコンクリート製品についても以下に述べるような課題が存在していた。
【００１２】
例えば、国家により公共工事が発注され、新規の道路工事が行われるとする。この際、コンクリート側溝は道路の排水を目的に、また既存の道路ではコンクリート製品の老朽化により、コンクリート製品取替え工事が行われるが、どの工事箇所においても道路が直線状に形成されている工事現場は少なく、曲線（カーブ）箇所と、直線箇所が入り混じって構成されているのが現状である。
【００１３】
この際、従来のＰＪ工法では、工事道路の直線部は、接続、埋設すべきコンクリート製品を引き寄せ工具により、手動で左右の微調整を加えながら均一に引き寄せ、ゴムパッキン圧着後、連結プレート、ボルトで固定し、前記コンクリート製品（例えば暗渠製品）の止水効果を持たせた接続作業を行っている。
【００１４】
しかしながら、工事道路におけるカーブ（曲線）箇所での接続すべきコンクリート製品の引き寄せは、該コンクリート製品を引き寄せ工具により手動で左右微調整を加えながら均一に引き寄せると、施工現場がカーブ（曲線）しているための各種の作業困難状況が生じる。
【００１５】
すなわち、カーブの内側部分については、敷設済み製品の端部に接続すべきコンクリート製品の端部を接触させるまで引き寄せて接続作業の完了となるが、カーブの外側部分では、カーブ内側が敷設済みの製品の端部接触状態のため、それ以上進まずにそこで止まってしまい、もってカーブの外側部部でもそれ以上の引き寄せができず、外側の接続部分に開口部が発生してしまっていた。
【００１６】
そこで、当該開口部を繋ぎ合わせるため施工現場でベニヤ板を使用し壁を作りその中にセメントモルタル及び生コンクリートを注入するなどの方法をとらざるを得なかった。
【特許文献１】特開２００１−３２９６２２号
【発明の開示】
【発明が解決しようとする課題】
【００１７】
かくして、本発明は前記従来の課題に対処すべく創案されたものであって、例えば工事道路における直線部分での暗渠型コンクリート製品の接続のみならず、カーブ部での接続も簡単、迅速に、かつ確実に行える直線状、曲線状接続可能な暗渠型コンクリート製品兼用接続装置を提供することを目的とするものである。
【課題を解決するための手段】
【００１８】
本発明による直線状、曲線状接続可能な暗渠型コンクリート製品兼用接続装置は、
複数の暗渠型コンクリート製品を長手方向に向かって直線状にあるいは曲線状に接続可能な暗渠型コンクリート製品の兼用接続装置であって、
長手方向へ接続すべき複数個の暗渠型コンクリート製品と、
該暗渠型コンクリート製品の両端部両側壁面一定位位置に各々穿設された接続用穴と、  
前記接続用穴に亘って架設される接続板と、
前記接続板を接続すべき暗渠型コンクリート製品の隣り合う側壁間に架設固定する固定杆と、
を有し、
前記接続板は、平板長方形状に形成されて長手方向略中間部分に折曲用縦型切り込みが設けられてなると共に、一方側端部近傍位置には下辺に開口し、上方に向かって延出した係止切り欠き溝が形成され、かつ他方側端部近傍位置には長手方向に向かって延びる長穴状の無段階取り付け用係止穴と該無段階取り付け用係止穴の前記係止切り欠き溝側の端部から上方に延びる切り込み状の係止溝が設けられてなり、
前記固定杆は、雄ねじ部と該雄ねじ部の基端に設けられたボルト頭とを有し、前記雄ねじ部には先端部から略中間位置まで雄ねじが消失されて丸棒状の雄ねじ消失部が形成されてなり、
前記接続用穴は、内部に雌ねじ部が螺刻された金属パイプ製のアンカー部と、該アンカー部の先端に嵌り込み、前記雌ねじ部の内径と略同等の内径を有し、かつ先端開口側では穴中心に向かって張り出し突起が環状に形成された合成樹脂製穴部とを備えた穴形成部材で形成された、
ことを特徴とするものである。
【発明の効果】
【００１９】
本発明によれば、工事道路における直線部分での暗渠型コンクリート製品の接続のみならず、カーブ部での暗渠型コンクリート製品の接続も簡単、迅速に、かつ確実に行えるとの優れた効果を奏する。
【発明を実施するための最良の形態】
【００２０】
以下、本発明を図に示す実施例に基づいて説明する。
【実施例１】
【００２１】
図１は本発明の一実施例を示す平面図である。図１において複数の暗渠型コンクリート製品１が所定のカーブを有して接続されている例を示したものである。
【００２２】
ここで、図１に示されている暗渠型コンクリート製品１にはその上面に内部中空部３（排水路）と連通する雨水排水用スリット２が設けられている。
【００２３】
また、暗渠型コンクリート製品１は図１から理解されるように、略直方体状をなして構成されており、その両側端部近傍の側壁には各々あらかじめ定められた位置に接続用穴７，７が設けられている。
【００２４】
この接続用穴７は前記暗渠型コンクリート製品１を製造する際、あらかじめ製造型枠内に接続用穴形成用の部材が取り付けられ、該部材により頑強な接続用穴７が形成される。例えば本発明においては内部に雌ねじ８が螺刻された金属パイプを接続用穴形成部材の主たる部材として使用している。
【００２５】
そして、この接続用穴７形成の位置は大量生産される全てのコンクリート製品１についてその長手方向の両端部近傍での同一位置に設けざるを得ない。
【００２６】
すなわち、直線状接続用の接続用穴７を設けたコンクリート製品、そしてカーブ状接続の接続用穴７（たとえな穴の位置がさらに端部よりになっているなど）を設けたコンクリート製品１と分けて製造されてはいない。このような他種類の製品を製造すると製造コストが大幅にアップするためである。
【００２７】
よって、接続用穴７形成の位置は大量生産される全てのコンクリート製品１についてその長手方向の両端部近傍での同一位置に設け、もって、直線状に接続するコンクリート製品１を基本とし、これらのコンクリート製品１をカーブ状に接続したいときには前記コンクリート製品１、正確には接続用穴７の位置は変更せずに、他の接続部材を変更してまかなうものとしている。
【００２８】
尚、図２から理解されるように、暗渠型コンクリート製品１の接続端面４にはゴムパッキンなどからなる気密部材５が取り付けられているが、カーブ部で使用するものについては、そのカーブ部内側部部についてゴムパッキンなどからなる気密部材５を一重に、カーブ部外側部分については気密部材５を二重あるいは三重にして取り付け、当該カーブ外側の接続部に生ずる開口に対処している。
【００２９】
ここで、カーブ部での暗渠型コンクリート製品１，１の接続につき説明する。
【００３０】
まず、所定の位置に暗渠型コンクリート製品１を敷設する。ついで、カーブを有して接続する次の暗渠型コンクリート製品１を所定位置まで運搬し、所定のカーブを有して接続するよう仮置きする。
【００３１】
その後、接続すべき隣り合う暗渠型コンクリート製品１，１の接続用穴７，７に接続板９を架設し、その状態から引き寄せ具（図示せず）を使用して隣り合う暗渠型コンクリート製品１，１を引き寄せる。
【００３２】
尚、このとき、接続板９として図３に示される接続板９を使用するものとなるが、カーブ部に使用する場合には、接続板９については、あらかじめその長手方向中間部に設けられた折曲用縦型切り込み１０の箇所を基にして所望の角度に折曲しておくものとする。
【００３３】
そして、カーブの内側部分から引き寄せ、接続作業を行うが、双方の接続端面に設けられた気密部材５が充分に圧着され、両端部が密接状態となっていることを確認し、ボルト状の固定杆１１を前記接続用穴７，７内に嵌着して接続板９を架設する。
【００３４】
しかして、固定杆１１の取り付けは接続用穴７の雌ねじ部８に固定杆１１の雄ねじ部１８を螺合させるよう螺子回してもよいし、固定杆１１のボルト頭１６を打ち込んで強制的に螺合状態にしても構わない。
【００３５】
次に、カーブ部の外側についてであるが、図５から理解されるように、接続端面間に大きな開口部が生ずる。しかし、この開口部を塞ぐべく各々の接続端面には２重、あるいは３重に気密部材５が取り付けられており、これにより接続部の気密性については充分に保たれている。
【００３６】
しかして、接続板９を所望の角度に折曲し、これを隣り合う接続用穴７，７に仮挿入された固定杆１１，１１の間に仮置きする。
【００３７】
この状態から引き寄せ具を用いて隣り合う暗渠型コンクリート製品１，１を充分引き寄せ、充分に引き寄せた状態で前記固定杆１１，１１を接続用穴７，７に打ち込むかあるいは螺合して両コンクリート製品１，１を接続するのである。
【００３８】
尚、前記開口部には最終的にコンクリートモルタル１２を打設し前記気密部材５を密封しておくものとする。
【００３９】
ところで当該暗渠型コンクリート製品１，１を直線状に接続するには、引き寄せ具を用いて手動により微調整を加えながら左右均一に引き寄せればよい。
【００４０】
しかし、施工現場がカーブ（曲線）の場合は、カーブ内側が、敷設済みの製品１の接続端面に接続すべき製品１の接続端面が接触、圧着されるまで引き寄せた後、そこで接続板９などを用いた接続作業を行いカーブ部内側はそれで作業完了となる。
【００４１】
しかし、カーブ内側が敷設済みの製品１，１の接続端面同士が充分な接触状態になるため、カーブ外側についてはそれ以上の引き寄せができない。
【００４２】
従って、カーブ外側については、前記気密部材５，５同士は充分に密接しているが、コンクリート製品１，１の接続端面部分に開口部が発生してしまうとの事態が生ずる。本発明では前記のようにしてこのような事態に充分対処しているのである。
【００４３】
しかして、本発明では中間部より縦型に折曲可能な接続板９を用いる。
【００４４】
特に、カーブ部の湾曲度の違いによりこの開口部の開口数値は異なってくる。
【００４５】
図３から理解されるように、接続板９の長手方向一方側端部近傍位置には下辺に開口し、上方に向かって延出する係止切り欠き溝１４が設けられている。
【００４６】
また他方側端部近傍位置には長手方向に向かって延びる長穴状の無段階取り付け用係止穴１５が穿設され、該無段階取り付け用係止穴１５における前記係止切り欠き溝１５側の端部からは上方に延びる切り込み状の係止溝２５が設けられている。
【００４７】
特に本発明による接続板９には、長穴状の無段階取り付け用係止穴１５が穿設されているため、開口部の開口数値が異なる場合であっても充分に接続板９を隣り合う接続用穴７，７間に架設できる。
【００４８】
次に、ボルト状の固定杆１１について説明する。該固定杆１１は図４にその構成が示されている。
【００４９】
すなわち、固定杆１１は、雄ねじ部１８と該雄ねじ部１８の基端に設けられたボルト頭１６とを有し、前記雄ねじ部１８は先端部から略中間位置まで雄ねじが消失されて丸棒状の雄ねじ消失部１７が形成されている。
【００５０】
このような構成からなる固定杆１１を使用することにより、接続の際の螺合回数を大きく減少することが出来、あるいはそのままボルト頭１７を打ち込んでも螺合状態にすることが出来、接続作業の手間を大幅に減らすことが出来る。
【００５１】
ところで、前記接続用穴７は、前述の通り内部に雌ねじ部８が螺刻された金属パイプ製の穴形成兼アンカー部１９と、該穴形成兼アンカー部１９の先端に嵌り込み、前記雌ねじ部８の内径と略同等の内径を有し、かつ先端開口側では穴中心に向かって張り出し突起２０が環状に形成された合成樹脂製穴部２１とを備えた穴形成部材２２で形成されている。
ここで、合成樹脂製の穴形成部材２２は、コンクリート製品１の製造時において、型枠に装着してある支持部材に嵌り込んで穴形成兼アンカー部１９が装着されるが、前記支持部材から容易に抜け落ちないとの脱落防止機能を有するものとなる。
【００５２】
また、アンカー部１９の中央つぶし加工部２３は、コンクリート製品１製造後コンクリート製品１本体より抜け出さない抜け防止機能を果たすものとなる。
【００５３】
そして、施工現場の状況では、穴形成兼アンカー部１９に装着してあるプラスチックキャップ製の穴形成部材２２により、施工時に穴形成兼アンカー部１９で形成された接続用穴７にセットする固定杆１１の脱落を防ぐ、固定杆脱落防止機能を有する。
【００５４】
また、引き寄せ作業時に、人力が加わった瞬間、固定杆１１の弾きを防ぐ飛び出し防止機能をも有する。
【００５５】
また、穴形成兼アンカー部１９の中央つぶし加工部２３及びそれを６角面取りとしたことは、施工現場で固定杆１１螺合時（締める時、取り外す時）に発生する、とも回り止め機能のためである。
【００５６】
また、穴形成兼アンカー部１９の後部のプラスチックキャップ２４は、コンクリート製品１製造時のコンクリートトロ進入を未然に防ぐ役割と、穴形成兼アンカー部１９とコンクリートの付着面積を多くするため、前記内栓型のプラスチックキャップ２４を装着した。
【図面の簡単な説明】
【００５７】
【図１】本発明の接続装置によりコンクリート製品を曲線状に接続した構成を説明する構成説明図である。
【００５８】
【図２】本発明によるコンクリート製品接続端面の構成を説明する構成説明図である。
【００５９】
【図３】接続板の構成を説明図する説明図である。
【００６０】
【図４】固定杆の構成を説明する説明図（その１）である。
【００６１】
【図５】本発明による接続状態を説明する説明図（その１）である。
【００６２】
【図６】本発明による接続状態を説明する説明図（その２）である。
【００６３】
【図７】接続用穴と固定杆との螺合状態を説明する説明図である。
【符号の説明】
【００６４】
１    暗渠型コンクリート製品
２    雨水排水用スリット
３    内部中空部
４    接続端面
５    気密部材   
７    接続用穴
８    雌ねじ部
９    接続板
１０  折曲用縦型切り込み
１１  固定杆   
１２  コンクリートモルタル
１３  下辺
１４  係止切り欠き溝
１５  無段階取り付け用係止穴
１６  ボルト頭
１７  ねじ消失部
１８  雄ねじ部    
１９  アンカー部
２０  突起
２１  合成樹脂製穴部
２２  穴形成部材
２３  中央つぶし加工部
２４  係止溝
【図１】
2005226341.tif 000003
【図２】
2005226341.tif 000004
【図３】
2005226341.tif 000005
【図４】
2005226341.tif 000006
【図５】
2005226341.tif 000007
【図６】
2005226341.tif 000008
【図７】
2005226341.tif 000009